(57)【要約】【課題】バーコードの判読性を低下させることなく、かつ、ラベルに商品情報に併せて、広告情報を分かり易く目立つように印字する。【解決手段】計量機と連動したオンデマンド商品情報１と、該商品の情報とは異なる広告のオンデマンド情報２とを併せてインクジェット方式により印字し、かつ、少なくとも広告のオンデマンド情報２は、フルカラーで印字し、オンデマンド商品情報１に含まれるバーコード情報３は、ＡＮＳＩ  Ｘ３．１８２で規定されるシンボルグレードがグレードＣ以上で印字する。【選択図】図１
2010208126.tif 000002
【特許請求の範囲】
【請求項１】
計量機と連動したオンデマンド商品情報と、該商品の情報とは異なる広告のオンデマンド情報とを併せてインクジェット方式により印字し、
かつ、少なくとも前記広告のオンデマンド情報は、フルカラーで印字し、
前記オンデマンド商品情報に含まれるバーコード情報は、ＡＮＳＩ  Ｘ３．１８２で規定されるシンボルグレードがグレードＣ以上で印字することを特徴とするラベル印字方法。
【請求項２】
計量機と連動したオンデマンド商品情報と、該商品の情報とは異なる広告のオンデマンド情報とが併せて印字され、
かつ、少なくとも前記広告のオンデマンド情報は、フルカラーで印字され、
前記オンデマンド商品情報に含まれるバーコード情報は、ＡＮＳＩ  Ｘ３．１８２で規定されるシンボルグレードがグレードＣ以上で印字されたことを特徴とするラベル。
【請求項３】
計量機と連動したオンデマンド商品情報と、該商品の情報とは異なる広告のオンデマンド情報とが併せてインクジェット方式により印字され、
かつ、少なくとも前記広告のオンデマンド情報は、フルカラーで印字され、
前記オンデマンド商品情報に含まれるバーコード情報は、ＡＮＳＩ  Ｘ３．１８２で規定されるシンボルグレードがグレードＣ以上で印字されたことを特徴とするラベル。
【発明の詳細な説明】
【技術分野】
【０００１】
本発明は、ラベル印字方法およびラベルに関する。さらに詳述すると、スーパーマーケット等の小売店で利用される価格、内容量、バーコード等の商品情報を表示したラベル印字方法およびラベルに関する。
【背景技術】
【０００２】
スーパーマーケット、コンビニエンスストア等の小売店で販売される商品、特に、生鮮食品には商品情報を表示するためのラベル（以下、ＰＯＳ（Point  of  Sale）ラベル、値付ラベル、商品ラベルともいう）が利用されており、消費者にとっては商品情報の確認のため、小売店にとっては商品の販売情報を記録して集計結果を在庫管理やマーケティング材料として用いるために広く用いられている。
【０００３】
近年、特売商品（値引商品）や、販売促進用の広告商品として、消費者の注目度を集めるような機能を付加したラベルの提案がなされている。例えば、特許文献１には、ラベルの上部に「お買い得」のような文字情報を併記して消費者の注目を集める事を目的としたラベルが開示されている。しかしながら、この技術は、ラベルの貼られた商品が特売品であることをアピールするためのＰＯＰ（Point  of  purchase  advertising）情報をアピールするものであり、販売促進のためにラベルにＰＯＰ機能を付与したものに留まっている。
【０００４】
また、ラベルに広告機能を付与する方法として、特許文献２には、広告主のＷＥＢサイトのＵＲＬをコード化した２次元コードをＰＯＳラベルに併記し、消費者が携帯電話等でこの２次コードを読み取ってＷＥＢサイトにアクセスして広告主の広告情報を見ることができる技術が開示されている。しかしながら、この技術の場合、消費者はＷＥＢアクセスするまでは何の情報が提供されるのかが判らず、消費者がアクセスしない限り広告情報の提供はできないという問題がある。また、所定の通信料等がかかるという問題がある。さらに、ラベルに印字されている２次元コードは、プレ印刷で形成されていることから情報は固定化されており、複数の２次元コードを可変情報としてオンデマンド印字することは困難であるため、広告情報のオンデマンド性への対応が困難であるという問題がある。
【０００５】
一方、インクジェット記録方式（インクジェット方式）は、インクの微小液滴を飛翔させて紙等の記録シートに付着させ、画像・文字等の記録、印字を行うもので、文字及び画像情報等の記録手段、特にカラー画像情報の手段として種々の用途に於いて急速に普及している。また、作成部数が少ない用途に於いては、従来の印刷方式よりも安価であることからフルカラー画像記録分野にまで広く応用されつつある。例えば、特許文献３および特許文献４には、インクジェット方式がラベル用途として使用できることが述べられている。また、特許文献５および特許文献６にはバーコードの読み取りに好適なインクジェット記録用紙に関する技術が開示されている。
【発明の概要】
【発明が解決しようとする課題】
【０００６】
このように、インクジェット方式を利用した各種ラベルが提案されているが、いずれもラベルを貼り付けた商品の販売促進を目的としたものであり、ラベルに印字される情報はラベルを貼り付けられた商品に関するもののみである。すなわち、ラベルを貼り付けた商品の情報だけでなく、商品とは直接関係無い情報を表示する掲示板のように使用される方法については、これまで提案されていなかった。
【０００７】
また、従来より、スーパーマーケットやコンビニエンスストア等の店舗内には、広告を掲載する掲示板等が設置されており、例えば、ポスター掲示により広告情報をアナウンスする方法が利用されているが、この方法ではポスターの掲示場所が少ないためアナウンス効果は不十分であった。更に、スペースの制限から掲示されるポスターの枚数も制限され、アナウンスできる広告数、情報量も少なくならざるを得ず、多種類の広告情報をアナウンス効果が高い方法で提供することはできなかった。
【０００８】
また、広告情報をラベルに印字する際、これらの情報を消費者の目を引く形で提供するためにカラー印字を行うことが考えられる。しかしながら、ラベルにバーコード情報を特定グレード以上で印字しながら、同時にフルカラー印字も行うことは、従来行われてきた印字方法によっては、技術的に困難であり、ラベルの印字方法について検討の余地が残されていた。
【０００９】
そこで本発明は、バーコードの判読性を低下させることなく、かつ、ラベルに商品情報に併せて、該商品の情報とは異なる広告情報を分かり易く目立つように印字することにより、消費者への広告情報のアナウンス効果を高めて、スーパーマーケット等の小売店は広告情報を掲載することによる広告収入が得られ、かつ、広告主は広告情報を広くしかも確実に発信することができるラベル印字方法およびラベルを提供することを目的とする。
【課題を解決するための手段】
【００１０】
本発明者らは、上記したような従来の課題を解決すべく鋭意研究した結果、インクジェット方式でラベルを印字すれば、バーコード情報を特定グレード以上とすることができ、かつラベルのフルカラー化が容易であることから、レジでの作業効率を落とすことなく、広告情報を消費者の目につく形で提供できることを見出した。
【００１１】
かかる目的を達成するため、請求項１に記載のラベル印字方法は、計量機と連動したオンデマンド商品情報と、該商品の情報とは異なる広告のオンデマンド情報とを併せてインクジェット方式により印字し、かつ、少なくとも広告のオンデマンド情報は、フルカラーで印字し、オンデマンド商品情報に含まれるバーコード情報は、ＡＮＳＩ  Ｘ３．１８２で規定されるシンボルグレードがグレードＣ以上で印字するようにしている。
【００１２】
また、請求項２に記載のラベルは、計量機と連動したオンデマンド商品情報と、該商品の情報とは異なる広告のオンデマンド情報とが併せて印字され、かつ、少なくとも広告のオンデマンド情報は、フルカラーで印字され、オンデマンド商品情報に含まれるバーコード情報は、ＡＮＳＩ  Ｘ３．１８２で規定されるシンボルグレードがグレードＣ以上で印字されたものである。
【００１３】
また、請求項３に記載のラベルは、計量機と連動したオンデマンド商品情報と、該商品の情報とは異なる広告のオンデマンド情報とが併せてインクジェット方式により印字され、かつ、少なくとも広告のオンデマンド情報は、フルカラーで印字され、オンデマンド商品情報に含まれるバーコード情報は、ＡＮＳＩ  Ｘ３．１８２で規定されるシンボルグレードがグレードＣ以上で印字されたものである。
【発明の効果】
【００１４】
本発明によれば、広告主は、多くの消費者に企業商品、企業イメージ、情報番組宣伝、特売情報等の広告情報をタイムリーに効果的にアナウンスする事が可能であり、スーパーマーケット等の小売店は、効果的な広告情報を掲載することによって多くの広告収入を得ることができる。さらに、ラベルに印字されるバーコード情報が、ＡＮＳＩ  Ｘ３．１８２で規定されるシンボルグレードがグレードＣ以上を満たすものであるので、バーコードの判読性を維持し、ＰＯＳシステム等の運用に支障をきたすことがない。
【図面の簡単な説明】
【００１５】
【図１】本発明に係るラベルの一例を示す図である。
【図２】本発明に係るラベルの他の例を示す図である。
【図３】本発明に係るラベルの他の例を示す図である。
【図４】本発明に係るラベルの他の例を示す図である。
【図５】本発明に係るラベルが付された商品が陳列されている様子を示す模式図である。
【図６】（ａ）本発明に係るラベルの他の例、（ｂ）バーコードのグレードが低いラベルの一例を示す図である。
【発明を実施するための形態】
【００１６】
以下、本発明に係る構成を図面に示す実施の形態に基づいて詳細に説明する。
【００１７】
１．ラベル印字方法
本発明に係るラベル印字方法は、計量機と連動したオンデマンド商品情報と、該商品の情報とは異なる広告のオンデマンド情報とを併せてインクジェット方式により印字し、かつ、少なくとも広告のオンデマンド情報は、フルカラーで印字し、オンデマンド商品情報に含まれるバーコード情報は、ＡＮＳＩ  Ｘ３．１８２で規定されるシンボルグレードがグレードＣ以上で印字するようにしたものである。
【００１８】
ここで、「オンデマンド商品情報」とは、商品（特に、肉類、魚類、野菜類、惣菜類等の食品）がパッケージされ、商品毎のパッケージの内容量や種類が異なっており、それらの内容量は計量機によって計量されてデータ化され、そのデータとリンクした内容の情報をいう。すなわち、商品毎に固有な情報であり、具体的な内容としては商品名、内容量、単価、価格、賞味期限、加工日、産地等の情報が挙げられる。これらの情報は、商品をパッケージする度にその情報をラベルに印字出力することが必要となることからオンデマンド印字が必要な商品情報である。また、バーコード、２次元コード（ＱＲコード、ＳＰコード、ベリコード等）等の情報もオンデマンド商品情報に含まれる。以下、「商品」とは、特に、肉類、魚類、野菜類、惣菜類等の食品を指すが、これに限られるものではなく、例えば、上述の形態で販売に供される医薬品、医薬部外品、日用品等であってもよい。
【００１９】
また、ラベルが貼られる商品の情報とは異なる情報としての「広告のオンデマンド情報（以下、単に、広告情報ともいう）」とは、例えば、企業名、企業イメージ、企業の基幹システムやサービス、企業の製品・商品名や、新聞、雑誌、インターネットサイト、テレビ、ラジオ等の情報媒体の名称や内容、店舗の開店情報、特売情報等の情報をいう。これらの広告情報は、企業、広告主の宣伝活動の一つであり、様々な媒体によってあらかじめ用意されているスペースや時間枠を広告主が買い、広告主が宣伝のためにあらかじめ作成したコンテンツを通じて情報を宣伝するという形態で、宣伝内容の名称や内容を世間に広く周知させるための情報発信活動のための情報である。また、例えば、テレビやラジオ番組の宣伝の場合は特定の番組の視聴率・聴取率を上げるために放送時間や放送内容を予告する宣伝、広告活動のための情報である。
【００２０】
広告情報は、例えば、同じ時期に複数掲載される場合、各広告毎にその内容は異なるものであるので、オンデマンドな印字出力が必要であり、オンデマンド印字が必要な情報であるといえる。また、広告情報は、文字情報だけでなく、広告イメージを容易に想起させるためのイラスト、デザイン、写真等の情報が重要であり、文字情報と画像情報との双方の情報が融合されたオンデマンド情報となる。
【００２１】
本発明に係るラベル印字方法は、計量機と連動したオンデマンド商品情報と、該商品情報とは異なる広告情報とを併せてインクジェット方式により印字し、かつ、少なくとも広告情報は、フルカラーで印字されることにより、各々の情報が別々のラベルとして一つの商品に貼り付けられていた場合に比べて、消費者の注目を引き、その結果、広告情報のアナウンス効果を大きくすることができる。
【００２２】
ここで、消費者が商品を購入する際、商品情報を得る手段としては、透明なフィルム等で包装されている場合はフィルム越しに直接商品を見ることにより商品の状態を見ることと、商品に貼り付けられているＰＯＳラベルから価格、内容量等の情報を得ることが想定される。そのため、消費者のＰＯＳラベルへの注目度は高いと想定される。したがって、消費者の注目度が高いＰＯＳラベルに広告情報が併記されていれば、従来のように、広告情報が、ＰＯＳラベルに併記されず別の場所に掲示等されている場合に比べて、当然に併記されている広告情報への注目度は高く、その結果、広告情報の消費者へのアナウンス効果を大きくすることができる。
【００２３】
更に、広告情報をオンデマンド商品情報に併せて印字する場合、従来の感熱記録方式によるラベル印字の場合は、フルカラー印字が困難であるのに対し、本発明は、インクジェット方式を利用することでフルカラーでの情報印字を可能とし、色彩を利用したデザイン、イラスト、写真等で消費者の注目度を高めることを可能としている。
【００２４】
また、スーパーマーケットなどの小売店が、広告情報をＰＯＳラベルに併記することにより、即時的または多面的な広告効果を考える場合、多くの広告情報を取り扱うことが当然好ましく、ＰＯＳラベル毎に併記する広告情報を変化できることがより好ましい。そのため、ラベルに印字される広告情報は、商品に応じて異なるのは勿論、同一、同種の商品であっても、販売地域、販売時期（季節）、商品価格等の種々の要素に応じて、都度適した広告情報を選択的に印字可能とすることが好ましい。
【００２５】
このため、従来の印刷方式でこれに対応するためには、事前に複数の広告情報を印刷したものを用意して、計量機と連動した商品情報を印字する方法が必要となり、事前印刷の種類に応じたラベルの在庫を抱えることが必要である。しかしながら、インクジェット方式を利用することにより、無地のラベルに１枚毎に広告情報の内容を変えてオンデマンドのカラー印刷することが可能であるので、印刷済みラベルの在庫を不要にすることができる。
【００２６】
また、上述のようにラベルには、オンデマンド商品情報としてバーコード、２次元コード等の情報（バーコード情報）も印字される。ここで、バーコード情報のようにモノクロ印字で機能を発現できる情報も、インクジェット方式で印字（モノクロ印字）することが可能であるが、ラベルの印字を、従来の感熱記録方式に替えて、インクジェット方式を利用して印字する際、バーコード情報の判読性の低下が問題となる。
【００２７】
しかしながら、本発明に係るラベル印字方法は、バーコード情報が所定のグレード以上の判読性を有するよう、具体的には、バーコード印刷品質のガイドライン「ＡＮＳＩ  Ｘ３．１８２」規格で規定されるシンボルグレードが所定グレード（グレードＣ以上）で印字することができるようにしている。なお、２次元コードの印字においても判読性を低下させることなく印字することが可能である。
【００２８】
このようにすることにより、バーコードの判読性が従来の感熱記録方式でバーコードを印字するシステムと同様に維持することができ、ＰＯＳシステム（レジにおけるバーコードを利用した精算等やＰＯＳデータの収集等）等の運用において支障をきたすことがないようにしている。
【００２９】
ここで、インクジェット方式でバーコードを作成し、ＡＮＳＩ  Ｘ３．１８２で規定されるシンボルグレードがグレードＣ以上を確保するためには、印字装置に係る受容体、ヘッド、インクそれぞれに好ましい条件があり、それらの組み合わせによって達成させることができる。例えば、受容体ではインク受容面の平滑性が高いほど、インクの吸液量が大きいほどバーコードのＡＮＳＩシンボルグレードが高まる。また、ヘッドでは解像度が大きいほどバーコードのＡＮＳＩシンボルグレードグレードが高くなる。
【００３０】
なお、本発明において、利用可能なインクジェット方式は、印字ヘッドタイプとしては、例えば、シリアル方式、ライン方式、コンティニアス方式等のいずれの方式も利用可能である。また、インクタイプとしては、例えば、水系染料インク、水系顔料インク、溶剤系染料インク、溶剤系顔料インク、ＵＶインク等のいずれのタイプも利用可能である。
【００３１】
また、本発明において、ラベルの基材は、インクジェット方式での印字に対応できるものであれば特に限定されるものではなく、紙、フィルム、合成紙、布等の基材を利用することが可能である。
【００３２】
更に、インクジェット方式での記録特性を高める目的で基材にインク吸収機能を有する機能層を設けることも可能である。例えば、インクジェット用紙として一般に知られているマット紙、光沢紙、写真用紙、プルーフ紙等を用いることも可能である。また、印字面の裏面に粘着剤及び剥離紙を設置したラベル様式、印字面の裏面に熱活性型の粘着剤を設置したライナーレスラベル様式、印字面に剥離機能、印字面の裏面に粘着剤を設置したライナーレスラベル様式で利用することも可能である。
【００３３】
２．ラベル
また、本発明に係るラベルは、計量機と連動したオンデマンド商品情報と、該商品の情報とは異なる広告のオンデマンド情報とが併せて印字され、かつ、少なくとも広告のオンデマンド情報は、フルカラーで印字され、オンデマンド商品情報に含まれるバーコード情報は、ＡＮＳＩ  Ｘ３．１８２で規定されるシンボルグレードがグレードＣ以上で印字されたものである（図１〜図６（ａ））。なお、当該ラベルは、インクジェット方式により印字されていることが好ましいが、インクジェット方式以外の他の印字方式によりフルカラー印字されたものであっても良い。
【００３４】
〔第１の実施形態〕
図１に、上述したラベル印字方法により印字されたラベルの一例を示す。図１に示すラベル１０は、計量機と連動したオンデマンド情報１の上部に、広告情報２として、企業イメージを高める為の広告が併せてインクジェット方式によりフルカラー印字されている。当該広告は文字、イラスト、背景いずれもカラーで印字され、かつ、バーコード３は、ＡＮＳＩ  Ｘ３．１８２で規定されるシンボルグレードがグレードＣ以上で印字されている。
【００３５】
〔第２の実施形態〕
図２に、上述したラベル印字方法により印字されたラベルの他の例を示す。図２に示すラベル１０は、計量機と連動したオンデマンド情報１の左部に、広告情報２として、テレビ番組の特番情報が併せてインクジェット方式によりフルカラー印字されている。当該テレビ番組の特番情報は文字、イラスト、背景いずれもカラーで印字され、かつ、バーコード３は、ＡＮＳＩ  Ｘ３．１８２で規定されるシンボルグレードがグレードＣ以上で印字されている。
【００３６】
〔第３の実施形態〕
図３に、上述したラベル印字方法により印字されたラベルの他の例を示す。図３に示すラベル１０は、計量機と連動したオンデマンド情報１の下部に、広告情報２として、特売セール情報が併せてインクジェット方式によりフルカラー印字されている。当該特売セール情報は文字、イラスト、背景いずれもカラーで印字され、かつ、バーコード３は、ＡＮＳＩ  Ｘ３．１８２で規定されるシンボルグレードがグレードＣ以上で印字されている。
【００３７】
〔第４の実施形態〕
図４に、上述したラベル印字方法により印字されたラベルの他の例を示す。図４に示すラベル１０は、計量機と連動したオンデマンド情報１の右部に、広告情報２として、企業の製品情報が併せてインクジェット方式によりフルカラー印字されている。当該企業の製品情報は文字、イラスト、背景いずれもカラーで印字され、かつ、バーコード３は、ＡＮＳＩ  Ｘ３．１８２で規定されるシンボルグレードがグレードＣ以上で印字されている。
【００３８】
図１から図４のように、オンデマンド商品情報１が印字されたＰＯＳラベル１０に、文字情報、イラスト情報等をフルカラーで印字した広告情報２を併せて印字することにより、消費者は商品購入時にＰＯＳラベル１０で商品情報を確認する際、併記された広告情報２に目が止まり、この広告情報２のアナウンス効果を、飛躍的に高くすることができる。また、このような広告情報２を掲載することにより広告主は効果的な宣伝活動をすることができ、小売店は広告スペースを提供することによって多額の広告収入を得ることが可能になる。
【００３９】
〔第５の実施形態〕
図５に、上述したラベル印字方法により印字されたラベル１０が付された商品が陳列されている様子を示す。図５は、企業イメージと企業製品という異なる複数の広告情報２を併記したラベル１０が、同種の商品に貼り付けられて、商品が陳列棚４に陳列されている様子を示している。上述のように、インクジェット方式を利用してラベル作成を行うことにより、異なる複数の広告情報２を同種の商品のラベル１０に貼り付けることが容易に可能となる。
【００４０】
〔第６の実施形態〕
上述のように、上述したラベル印字方法により印字されたラベルは、バーコードが所定のグレード（ＡＮＳＩ  Ｘ３．１８２で規定されるシンボルグレードがグレードＣ）以上であるものである。図６（ａ）〜（ｂ）に、バーコードのシンボルグレードの異なるラベルの例を示す。
【００４１】
図６（ａ）は、本発明に係るラベルの一例であり、バーコード３はグレードＢである。当該ラベル１０によれば、バーコードの判読性を従来の感熱記録方式でバーコードを印字するシステムと同様に維持することができる。一方、図６（ｂ）は、バーコード５はグレードＦの比較例である。バーコード５は、バーのエッジにキザキザがありレジでの判読が困難であるため、レジの作業効率が極端に低下する。
【００４２】
尚、上述の実施形態は本発明の好適な実施の例ではあるがこれに限定されるものではなく、本発明の要旨を逸脱しない範囲において種々変形実施可能である。
【符号の説明】
【００４３】
１  オンデマンド商品情報
２  広告情報
３  バーコード
４  商品陳列棚
５  バーコード（グレードＦ）
１０  ラベル
【先行技術文献】
【特許文献】
【００４４】
【特許文献１】特許第２９５６５９９号
【特許文献２】登録実用新案第３１４４１６５号
【特許文献３】特許第３０７８４２５号
【特許文献４】特開２００４−３２２４５８号公報
【特許文献５】特開２００７−１３６９６７号公報
【特許文献６】特開２００７−９０７０９号公報
【図１】
2010208126.tif 000003
【図２】
2010208126.tif 000004
【図３】
2010208126.tif 000005
【図４】
2010208126.tif 000006
【図５】
2010208126.tif 000007
【図６】
2010208126.tif 000008